(57)【特許請求の範囲】
【請求項１】
建物の壁面開口に取り付けられる出窓であって、
複数本の縦枠、この縦枠間に掛け渡された上枠および下枠を備える出窓本体と、出窓本体の下枠および建物壁面に取り付けられた支持材間に架け渡された地板とを有し、
前記地板の室外側端縁は前記下枠に形成された保持溝内に挿入可能とされ、前記地板の室内側端縁は前記支持材本体から室外側に突設された載置部上に載置可能とされ、かつ地板の室内側端縁と支持材本体との間には所定寸法の隙間が形成され、前記隙間の寸法は、この隙間を利用して地板を室内側にスライド移動させた際に、前記室外側端縁が下枠の保持溝から外れて地板が着脱可能な寸法に設定され、
前記地板の室内側端縁と前記支持枠本体との隙間部分は、前記地板および支持枠本体にまたがって配置されるカバー材で被覆され、
前記カバー材の室内側端縁は、前記支持材本体の端縁に係合するとともに、当該カバー材には、前記隙間内に挿入されて前記支持材の係合爪にその弾性力で係合される係合部が一体に形成されている出窓。
【請求項２】
建物の壁面開口に取り付けられる出窓であって、
複数本の縦枠、この縦枠間に掛け渡された上枠および下枠を備える出窓本体と、出窓本体の下枠および建物壁面に取り付けられた支持材間に架け渡された地板とを有し、
前記出窓本体は、少なくとも２つの袖窓部を備え、
前記地板の室外側端縁は前記下枠に形成された保持溝内に挿入可能とされ、前記地板の室内側端縁は前記支持材本体から室外側に突設された載置部上に載置可能とされ、かつ地板の室内側端縁と支持材本体との間には所定寸法の隙間が形成され、前記隙間の寸法は、この隙間を利用して地板を室内側にスライド移動させ、かつ室内外方向に直交する出窓の幅方向にスライド移動させた際に、前記一方の袖窓部の下枠保持溝に保持される室外側端縁以外の室外側端縁が下枠の保持溝から外れて地板が着脱可能な寸法に設定され、
前記地板の室内側端縁と前記支持枠本体との隙間部分は、前記地板および支持枠本体にまたがって配置されるカバー材で被覆され、
前記カバー材の室内側端縁は、前記支持材本体の端縁に係合するとともに、当該カバー材には、前記隙間内に挿入されて前記支持材の係合爪にその弾性力で係合される係合部が一体に形成されている出窓。
【請求項３】
建物の壁面開口に取り付けられる出窓であって、
出窓本体と、出窓本体および建物壁面に取り付けられた支持材間に架け渡された地板とを有し、
前記出窓本体は、建物の壁面から室外側に突出した２つの袖窓部と、これらの袖窓部の室外側端縁間に配置された正面窓部とを備え、
前記各袖窓部は、各袖窓部の室内側端縁間の間隔寸法が各袖窓部の室外側端縁間の間隔寸法よりも大きくされ、
前記地板の室外側端縁は前記正面窓部および袖窓部の各下枠に形成された保持溝内に挿入可能とされ、前記地板の室内側端縁は前記支持材本体から室外側に突設された載置部上に載置可能とされ、かつ地板の室内側端縁と支持材本体との間には所定寸法の隙間が形成され、地板を前記隙間を利用して室内側にスライド移動させた際に、前記室外側端縁が正面窓部および袖窓部の各下枠の保持溝から外れて地板が着脱可能に設けられ、
前記地板の室内側端縁と前記支持枠本体との隙間部分は、前記地板および支持枠本体にまたがって配置されるカバー材で被覆され、
前記カバー材の室内側端縁は、前記支持材本体の端縁に係合するとともに、当該カバー材には、前記隙間内に挿入されて前記支持材の係合爪にその弾性力で係合される係合部が一体に形成されている出窓。
【請求項４】
建物の壁面開口に取り付けられる出窓であって、
出窓本体と、出窓本体および建物壁面に取り付けられた支持材間に架け渡された地板とを有し、
前記出窓本体は、建物の壁面から室外側に突出した２つの袖窓部と、これらの袖窓部の室外側端縁間に配置された正面窓部とを備え、
前記地板の室外側端縁は前記正面窓部および袖窓部の各下枠に形成された保持溝内に挿入可能とされ、前記地板の室内側端縁は前記支持材本体から室外側に突設された載置部上に載置可能とされ、かつ地板の室内側端縁と支持材本体との間には所定寸法の隙間が形成され、地板を前記隙間を利用して室内側にスライド移動させ、かつ室内外方向に直交する出窓の幅方向にスライド移動させた際に、前記一方の袖窓部の下枠保持溝に保持される室外側端縁以外の室外側端縁が下枠の保持溝から外れて地板が着脱可能に設けられ、
前記地板の室内側端縁と前記支持枠本体との隙間部分は、前記地板および支持枠本体にまたがって配置されるカバー材で被覆され、
前記カバー材の室内側端縁は、前記支持材本体の端縁に係合するとともに、当該カバー材には、前記隙間内に挿入されて前記支持材の係合爪にその弾性力で係合される係合部が一体に形成されている出窓。
【発明の詳細な説明】
【０００１】
【発明の属する技術分野】
本発明は、出窓に係り、特に地板の取付けや取外しが容易な出窓に関する。
【０００２】
【背景技術】
出窓は、手軽に室内のスペースを確保（広く）したり、室外の意匠のアクセントになるために広く普及している。この出窓は、例えば、平面台形の出窓を例に説明すると、通常は、建物躯体（建物の壁開口に設けられた柱等）に取り付けられる縦枠と、この縦枠から離れて配置される方立（縦枠）との間に袖上枠および袖下枠を連結して袖窓部（袖ユニット）を組み立て、この袖窓部の各方立間に正面上枠および正面下枠を連結材（ジョイント部材）を用いて接合して正面窓部（正面枠ユニット）を組み立てていた。
そして、この袖ユニットおよび正面枠ユニットからなる出窓ユニット内に、ガラス等の各種面材を嵌め殺し状態に組み込んだり、引違い障子や縦辷り出し窓用の障子等を組み込んで出窓を構成していた。
【０００３】
このような出窓の下部には、地板が配置される。この地板の室外側の外周縁はは、袖下枠および正面下枠で保持される。一方、地板の室内側端縁は、建物開口部内まで延長配置される場合もあるが、特開２００１−９０４３７号公報に開示されているように、建物の窓台の屋外端に配置される場合もある。
すなわち、窓台に水切り材を兼用する支持材を取り付けておき、地板を組み付けた出窓ユニットを建物の開口部に取り付け、前記地板の室内側端縁を支持材で保持していた。つまり、地板は、その外周縁が各下枠および支持材の保持溝に差し込まれ、各下枠や支持材で挟持することで保持されていた。
【０００４】
【発明が解決しようとする課題】
ところで、このような出窓ユニットは、地板を出窓ユニットに組み込んでから吊り上げて建物開口に取り付けていた。このため、その施工作業中や出窓ユニットを取り付けた後の仕上げ作業中などに地板を傷つけてしまい、地板の交換が必要となる場合がある。
しかしながら、従来の出窓では、各下枠および支持材で地板を挟持していたため、地板の外側面は下枠や支持材に密着していた。このため、出窓ユニットが建物に取り付けられた状態では地板を下枠、支持材の保持溝から外すことができず、出窓ユニットを建物から取り外さなければ地板を交換することができない。このため、地板が傷ついた場合には、その交換作業が非常に困難であるという問題があった。
【０００５】
また、出窓の施工にあたっては、まず出窓ユニットに地板を取り付けた後、出窓ユニットを建物開口部に取り付けなければならず、施工手順が限定されるために、施工作業の自由度が低くなり、作業性が低下するという問題もあった。
【０００６】
本発明の目的は、出窓ユニットを建物に取り付けた後でも地板の交換を容易に行えるとともに、施工手順の自由度を高めることができて作業性を向上することができる出窓を提供することにある。
【０００７】
【課題を解決するための手段】
本発明は、建物の壁面開口に取り付けられる出窓であって、複数本の縦枠、この縦枠間に掛け渡された上枠および下枠を備える出窓本体と、出窓本体の下枠および建物壁面に取り付けられた支持材間に架け渡された地板とを有し、前記地板の室外側端縁は前記下枠に形成された保持溝内に挿入可能とされ、前記地板の室内側端縁は前記支持材本体から室外側に突設された載置部上に載置可能とされ、かつ地板の室内側端縁と支持材本体との間には所定寸法の隙間が形成され、前記隙間の寸法は、この隙間を利用して地板を室内側にスライド移動させた際に、前記室外側端縁が下枠の保持溝から外れて地板が着脱可能な寸法に設定され、前記地板の室内側端縁と前記支持枠本体との隙間部分は、前記地板および支持枠本体にまたがって配置されるカバー材で被覆され、前記カバー材の室内側端縁は、前記支持材本体の端縁に係合するとともに、当該カバー材には、前記隙間内に挿入されて前記支持材の係合爪にその弾性力で係合される係合部が一体に形成されていることを特徴とするものである。
【０００８】
本発明では、地板の室内外方向の寸法を、出窓本体と支持材本体との室内外方向の寸法よりも短くすることで、地板の室内側端縁と支持材本体との間に所定寸法の隙間を設定する。そして、この隙間を利用して地板を室内側に移動することで地板の室外側端縁を下枠の保持溝から外す。地板の室内側端縁は支持材の載置部上に載置されているので、室外側端縁が保持溝から外れれば、地板を上方に移動して取り外すことができる。一方、逆の手順を行えば地板を出窓本体に取り付けることができる。
このように地板の室内側端縁と支持材本体との間に所定寸法の隙間を設けることだけで、建物壁面に取り付けられた出窓本体から地板を容易に着脱できる。従って、地板が破損した場合でも、低コストでかつ短時間で交換することができる。また、地板は出窓本体を建物躯体に取り付けた後からでも取り付けることができるので、地板を出窓本体に組み込んでからでなければ建物に取り付けることができなかった従来例に比べて出窓の施工手順の自由度が高まり、施工作業性も向上できる。
【０００９】
本発明は、建物の壁面開口に取り付けられる出窓であって、複数本の縦枠と、この縦枠間に掛け渡された上枠および下枠とを備える出窓本体と、出窓本体の下枠および建物壁面に取り付けられた支持材間に架け渡された地板とを有し、前記出窓本体は、少なくとも２つの袖窓部を備え、前記地板の室外側端縁は前記下枠に形成された保持溝内に挿入可能とされ、前記地板の室内側端縁は前記支持材本体から室外側に突設された載置部上に載置可能とされ、かつ地板の室内側端縁と支持材本体との間には所定寸法の隙間が形成され、前記隙間の寸法は、この隙間を利用して地板を室内側にスライド移動させ、かつ室内外方向に直交する出窓の幅方向にスライド移動させた際に、前記一方の袖窓部の下枠保持溝に保持される室外側端縁以外の室外側端縁が下枠の保持溝から外れて地板が着脱可能な寸法に設定され、前記地板の室内側端縁と前記支持枠本体との隙間部分は、前記地板および支持枠本体にまたがって配置されるカバー材で被覆され、前記カバー材の室内側端縁は、前記支持材本体の端縁に係合するとともに、当該カバー材には、前記隙間内に挿入されて前記支持材の係合爪にその弾性力で係合される係合部が一体に形成されていることを特徴とするものである。
【００１０】
本発明は、地板を前記隙間の寸法分、室内側にスライド移動させ、かつ室内外方向に直交する出窓の幅方向にスライド移動させた際に、前記一方の袖窓部の下枠保持溝に保持される室外側端縁以外の室外側端縁が下枠の保持溝から外れて地板が着脱可能に設けられている。
すなわち、地板の室内側端縁と支持材本体との間に設定された所定寸法の隙間を利用し、地板を室内側にスライド移動することで、例えば、２つの袖窓部間に設けられた正面窓部の下枠保持溝から地板が外れ、地板の室内側端縁およびこの室内側端縁に対向する室外側端縁は上方に移動可能となる。
さらに、地板を出窓の幅方向にスライド移動することで、２つの袖窓部の一方の袖窓部の下枠保持溝から地板が外れる。従って、一方の袖窓部から外れた地板の室外側端縁を上方に持ち上げて斜め上方に地板を移動すれば、他方の袖窓部の下枠保持溝からも地板が外れる。つまり、いわゆるけんどん方式で地板を取り外すことができる。一方、逆の手順を行えば地板を出窓本体に取り付けることができる。
このように地板の室内側端縁と支持材本体との間に所定寸法の隙間を設け、地板を２方向にスライド移動させることだけで、建物壁面に取り付けられた出窓本体から地板を容易に着脱できる。従って、地板が破損した場合でも、低コストでかつ短時間で交換することができ、地板の施工順序に制限が無いため、出窓の施工手順の自由度が高まり、施工作業性も向上できる。
【００１１】
本発明は、建物の壁面開口に取り付けられる出窓であって、出窓本体と、出窓本体および建物壁面に取り付けられた支持材間に架け渡された地板とを有し、前記出窓本体は、建物の壁面から室外側に突出した２つの袖窓部と、これらの袖窓部の室外側端縁間に配置された正面窓部とを備え、前記各袖窓部は、各袖窓部の室内側端縁間の間隔寸法が各袖窓部の室外側端縁間の間隔寸法よりも大きくされ、前記地板の室外側端縁は前記正面窓部および袖窓部の各下枠に形成された保持溝内に挿入可能とされ、前記地板の室内側端縁は前記支持材本体から室外側に突設された載置部上に載置可能とされ、かつ地板の室内側端縁と支持材本体との間には所定寸法の隙間が形成され、地板を前記隙間を利用して室内側にスライド移動させた際に、前記室外側端縁が正面窓部および袖窓部の各下枠の保持溝から外れて地板が着脱可能に設けられ、前記地板の室内側端縁と前記支持枠本体との隙間部分は、前記地板および支持枠本体にまたがって配置されるカバー材で被覆され、前記カバー材の室内側端縁は、前記支持材本体の端縁に係合するとともに、当該カバー材には、前記隙間内に挿入されて前記支持材の係合爪にその弾性力で係合される係合部が一体に形成されていることを特徴とするものである。
【００１２】
本発明では、平面台形状の出窓のように、袖窓部の室内側端縁間寸法つまり出窓の室内側開口幅寸法が、袖窓部の室外側端縁間寸法つまり正面窓部の幅寸法よりも大きくされている。このため、地板の室内側端縁と支持材本体との間に設定された所定寸法の隙間を利用して地板を室内側に移動すると、地板の袖窓部側の室外側端縁（袖窓側端縁）と袖窓部の下枠保持溝との隙間寸法は移動に伴い徐々に大きくなる。
従って、前記隙間を利用した室内側への移動寸法と、地板の袖窓側端縁の保持溝内への挿入寸法（呑込寸法）を適切に設定すれば、地板を室内側にスライド移動させるだけで、地板の袖窓側端縁および正面窓側端縁（正面窓側の室外側端縁）を各保持溝から外すことができる。これにより、地板を上方に移動して取り外すことができる。一方、逆の手順を行えば地板を出窓本体に取り付けることができる。
このため、建物壁面に取り付けられた出窓本体から地板を容易に着脱でき、地板が破損した場合でも、低コストでかつ短時間で交換することができるとともに、地板の施工順序の制限が無くなって出窓の施工手順の自由度が高まり、施工作業性も向上できる。
【００１３】
本発明は、建物の壁面開口に取り付けられる出窓であって、出窓本体と、出窓本体および建物壁面に取り付けられた支持材間に架け渡された地板とを有し、前記出窓本体は、建物の壁面から室外側に突出した２つの袖窓部と、これらの袖窓部の室外側端縁間に配置された正面窓部とを備え、前記地板の室外側端縁は前記正面窓部および袖窓部の各下枠に形成された保持溝内に挿入可能とされ、前記地板の室内側端縁は前記支持材本体から室外側に突設された載置部上に載置可能とされ、かつ地板の室内側端縁と支持材本体との間には所定寸法の隙間が形成され、地板を前記隙間を利用して室内側にスライド移動させ、かつ室内外方向に直交する出窓の幅方向にスライド移動させた際に、前記一方の袖窓部の下枠保持溝に保持される室外側端縁以外の室外側端縁が下枠の保持溝から外れて地板が着脱可能に設けられ、前記地板の室内側端縁と前記支持枠本体との隙間部分は、前記地板および支持枠本体にまたがって配置されるカバー材で被覆され、前記カバー材の室内側端縁は、前記支持材本体の端縁に係合するとともに、当該カバー材には、前記隙間内に挿入されて前記支持材の係合爪にその弾性力で係合される係合部が一体に形成されていることを特徴とするものである。
【００１４】
本発明では、地板の室内側端縁と支持材本体との間に設定された所定寸法の隙間を利用して地板を室内側にスライド移動することで、地板の正面窓側端縁が保持溝から外れる。また、地板を出窓幅方向にスライド移動することで、２つの袖窓部の一方の袖窓部の下枠保持溝から地板が外れる。従って、一方の袖窓部から外れた地板の室外側端縁を上方に持ち上げて斜め上方に地板を移動すれば、他方の袖窓部の下枠保持溝からも地板が外れる。つまり、いわゆるけんどん方式で地板を取り外すことができる。一方、逆の手順を行えば地板を出窓本体に取り付けることができる。
このように地板の室内側端縁と支持材本体との間に所定寸法の隙間を設け、地板を２方向にスライド移動させることだけで、建物壁面に取り付けられた出窓本体から地板を容易に着脱できる。従って、地板が破損した場合でも、低コストでかつ短時間で交換することができ、地板の施工順序に制限が無いため、出窓の施工手順の自由度が高まり、施工作業性も向上できる。その上、平面台形状の出窓だけでなく、平面矩形状の角形出窓等の様々な平面形状の出窓でも適用でき、適用できる出窓種類も多くできる。
【００１５】
なお、請求項２および請求項４の発明では、地板を出窓の幅方向にスライド移動させるために、各袖窓部の保持溝と地板の袖窓側端縁間に予め所定の隙間を設定しておけばよい。また、台形出窓のように、地板を室内側にスライド移動させることで地板の袖窓側端縁と保持溝との間に所定寸法の隙間を形成できる場合には、その隙間を利用して地板を出窓幅方向にスライド移動させてもよい。
【００１６】
以上において、前記地板の室内側端縁と前記支持枠本体との隙間部分は、前記地板および支持枠本体にまたがって配置されるカバー材で被覆されているので、隙間が室内側に露出せず、意匠性を向上できる。
【００１９】
【発明の実施の形態】
以下、本発明の一実施形態を図面に基づいて説明する。なお、各図面においては図面を見やすくするために、断面を示すハッチングを基本的に省略して記載している。
図１は出窓１の縦断面図、図２は出窓１の横断面図、図３は出窓１の内観斜視図である。
出窓１は、建物１００の壁面開口１０１に取り付けられている。建物１００の壁面開口１０１は、左右に配置された一対の柱１０２と、この柱１０２間に掛け渡されたまぐさ１０３および窓台１０４によって区画形成されている。本実施形態では、柱間に内壁が配置されて室内側に柱１０２が露出し、和室に用いられることが多い真壁納まりとされている。但し、本発明は大壁納まりでも適用可能である。
まぐさ１０３および窓台１０４は、和室用の障子１０５を建て付けるための鴨居および敷居として用いられている。
【００２０】
出窓１は、平面形態（横断面形状）が台形とされた台形出窓であり、室外側に突出した左右両側の袖窓部５と、これら袖窓部５の間に設けられた正面窓部６とを有する出窓本体２で構成されている。
この出窓本体２の上部には、天板５４および屋根５５が取り付けられ、出窓本体２の下部には地板６０および底板５０が取り付けられている。
【００２１】
出窓本体２は、柱１０２にネジ等で固定される左右一対の縦枠１１と、この縦枠１１に対して間隔を空けて立設された左右一対の縦枠としての方立１２と、縦枠１１および方立１２の上端部間および下端部間にそれぞれ架け渡された袖上枠１３および袖下枠１４と、両方立１２の上端部間および下端部間にそれぞれ架け渡された正面上枠３１および正面下枠３２とからなる出窓フレーム３を備えている。
本実施形態では、出窓フレーム３は、まず、前記縦枠１１、方立１２、袖上枠１３、袖下枠１４を四角枠状に組み合わせて袖枠ユニットを構成し、この袖枠ユニットの方立１２間に前記正面上枠３１および正面下枠３２をネジや連結材などで固定することで構成されている。この際、方立１２および正面上枠３１、正面下枠３２により正面枠ユニットが構成される。従って、本実施形態では、袖枠ユニットの方立１２は、正面枠ユニットの縦枠として兼用されていることになる。
【００２２】
袖枠ユニットにはガラス面材１７が嵌め込まれてＦＩＸ窓を構成している。このＦＩＸ窓部分によって前記袖窓部５が構成されている。なお、建物１００の壁面に対する袖窓部５の傾斜角度θ１は、本実施形態では約４５度とされているが、６０度などでもよく、その角度は限定されない。そして、出窓１は台形出窓であるため、袖窓部５の室内側端縁間寸法Ｗ１つまり出窓１の室内側開口幅寸法Ｗ１が、袖窓部５の室外側端縁間寸法Ｗ２つまり正面窓部６の幅寸法Ｗ２よりも大きくされている。
正面枠ユニットには、室内外の２枚の障子３５が組み込まれて引違い窓を構成しており、この引違い窓部分によって前記正面窓部６が構成されている。
なお、各枠の材質は限定されないが、例えばアルミニウム合金の押出形材などが利用できる。
【００２３】
前記地板６０は、略台形板状に形成され、出窓本体２の下枠である袖下枠１４、正面下枠３２と、建物壁面、具体的には窓台１０４の室外面に取り付けられた水切り材を兼用する支持材７０によって支持されている。
具体的には、各下枠１４，３２には、地板６０の室外側端縁、具体的には正面窓側端縁６１と袖窓側端縁６２とが差し込まれる保持溝６５が形成されている。各保持溝６５は、図４に拡大して示すように、断面略Ｌ字状の下片６６と、平面板状の上片６７と、これらの各片６６，６７を連結する溝底面部６８とで断面略コ字状に形成されている。ここで、下片６６はＬ字状に形成されているので、下片６６と溝底面部６８との間には空間が確保される。この空間により、地板６０を保持溝６５内に対し、斜め下方に向かって挿入することができる。
【００２４】
一方、支持材７０は、図５にも示すように、窓台１０４や壁材にビス止めされる支持材本体７１と、この支持材本体７１から室外側に突設されて前記地板６０が載置される載置部７２と、底板５０の端縁を保持する底板保持部７３とを備え、窓台１０４の全長に渡って設けられている。この支持材７０は、合成樹脂材が用いられることもあるが、通常はアルミニウム合金等の金属材で構成されている。
【００２５】
そして、地板６０を下枠１４，３２や支持材７０に取り付けた際に、地板６０の室内側端縁６３の端面と前記支持材本体７１の室外面との間には、寸法Ｌ１の隙間８０が形成されるように設定されている。
この隙間８０は、合成樹脂製あるいは金属製のカバー材９０で被覆されている。このカバー材９０は、地板６０の室内側端縁６３から支持材本体７１に跨って配置され、その室内側端縁は前記支持材本体７１の端縁に係合するように構成されている。
カバー材９０には、さらに、前記隙間８０内に挿入されて支持材７０の係合爪にその弾性力で係合される係合部９１も一体に形成されている。
【００２６】
一方、地板６０を下枠１４，３２や支持材７０に取り付けた際に、地板６０の袖窓側端縁６２の端面と前記下枠１４の保持溝６５における溝底面部６８との間には、図４に示すように、寸法Ｌ２の隙間が形成されるように設定されている。さらに、地板６０を前記隙間８０の寸法分、室内側にスライドさせた場合には、下枠１４の保持溝６５や地板６０の袖窓側端縁６２が室内外方向つまり地板６０のスライド方向に対して斜めに形成されているので、図４に一点鎖線で示すように、地板６０の各袖窓側端縁６２と溝底面部６８との各隙間は、寸法Ｌ２よりも大きな寸法Ｌ３となる。ここで、寸法Ｌ３は、上片６７の奥行き寸法Ｌ４に対し、Ｌ４／２＜Ｌ３＜Ｌ４となるように設定され、地板６０を出窓の幅方向にスライド移動し、地板６０の一方の袖窓側端縁６２を溝底面部６８に当接させた場合に、地板６０の他方の袖窓側端縁６２は保持溝６５から外れるように設定されている。
【００２７】
なお、互いに隣接する各下枠１４，３２の上片６７間の接続部分は、コーナーピース５２で被覆されている。このコーナーピース５２には、地板６０の正面窓側端縁６１が当接する位置決め用ストッパ５２Ａも設けられている。
【００２８】
このような地板６０は、出窓本体２を建物の躯体に取り付けた後、以下の手順で取り付けられる。
まず、図３に示すように、地板６０は、地板６０の一方の袖窓側端縁６２を一方の下枠１４の保持溝６５に差し込んだ後、他方の袖窓側端縁６２を他方の下枠１４の保持溝６５に差し込むことで、つまり、いわゆるけんどん方式で取り付けられる。
さらに、この際、地板６０は、室内側端縁６３が前記支持材７０側に寄って正面窓側端縁６１が正面下枠３２の保持溝６５から外れた位置になければならない。従って、各袖窓側端縁６２が保持溝６５内に保持されてから、地板６０を室外側にスライド移動する。地板６０の正面窓側端縁６１が保持溝６５内に設けられた位置決め用のストッパ５２Ａに当接すると、地板６０の室内側端縁６３と支持材本体７１との隙間８０の寸法がＬ１になる。
この状態で地板６０をネジを用いて下枠１４，３２に固定し、前記カバー材９０を隙間８０に挿入して固定する。
なお、ネジの固定は、例えば、正面下枠３２の上片６７から地板６０の正面窓側端縁６１にネジを螺合したり、逆に下片６６側から正面窓側端縁６１にネジを螺合すればよい。袖窓側端縁６２は必要に応じてねじ止めすればよい。
【００２９】
一方、出窓１の施工後に、地板６０を取り外すには、前記取付手順と逆に、カバー材９０およびネジを取り外し、地板６０を寸法Ｌ１分室内側に移動してその正面窓側端縁６１を保持溝６５から外し、さらに、地板６０を左右いずれかに移動して一方の袖窓側端縁６２を保持溝６５から外す。その後、けんどん方式で地板６０を取り外せばよい。
なお、室内外方向の移動と左右方向の移動とを一度に行えるように、図６に示すように、地板６０を水平面内で斜め方向（室内外方向つまり見込み方向と左右方向つまり出窓幅方向の両方向に対して斜めとなる方向）に移動してもよい。
【００３０】
このような本実施形態によれば、次のような効果がある。
(1) 建物躯体に取り付けられた出窓本体２に対して地板６０を着脱することができる。このため、施工途中や完成後に地板６０が破損した場合でも、従来のように出窓本体２を取り外して地板６０を交換する必要が無く、地板６０を容易に交換でき、交換のための費用も軽減することができる。
【００３１】
(2) 出窓本体２を建物躯体に取り付けた後でも、地板６０を取り付けることができるので、従来のように出窓本体に地板を組み込んでから建物躯体に取り付けなければならない場合に比べて、地板６０の取付順序を自由に設定でき、出窓１の施工作業性を向上することができる。その上、地板６０の破損は、地板が組み込まれた出窓本体を建物躯体に取り付ける際に発生することが多いが、本実施形態では、出窓本体２を建物躯体に取り付けた後に地板６０を取り付けることができるので、地板６０の破損を効果的に防止でき、地板６０の交換作業も不要にでき、施工コストも低減できる。
【００３２】
(3) 地板６０の室内側端縁６３と支持材本体７１との間に隙間８０を設け、この隙間８０を利用して地板６０を着脱できるように構成したので、地板６０を着脱するための構造も簡単にでき、コストの増加も抑えることができる。
なお、隙間８０を塞ぐためにカバー材９０を設けているが、断熱性能を確保するために水切り材の室内露出面を合成樹脂製のカバー材で被覆することは従来から行われていたため、カバー材９０を設けた場合でも従来に比べてコスト的には殆ど変わらないため、コスト増も効果的に抑えることができる。
【００３３】
(4) 出窓１は台形出窓であって、袖窓部の室内側端縁間の寸法Ｗ１が室外側端縁間（正面窓部）の寸法Ｗ２よりも大きくなっているので、地板６０を室内側にスライド移動させた際に、地板６０の袖窓側端縁６２と保持溝６５の溝底面部６８との間隔は広がることになる。従って、地板６０はその固定状態では、室外側端縁６１，６２の保持溝６５内に挿入された部分の寸法を比較的大きくできて、確実に保持溝６５で保持できるとともに、地板６０を室内側にスライド移動させた場合には、室外側端縁６１，６２の保持溝６５内に挿入された部分の寸法を小さくできて、左右方向に移動することでけんどん方式で確実に保持溝６５から取り外すことができる。すなわち、非常に簡単な構造でありながら、固定状態では地板６０を保持溝６５で確実に保持でき、かつ着脱する際には保持溝６５に対して地板６０を容易に着脱することができ、施工作業性に優れた出窓１にすることができる。
【００３４】
(5) カバー材９０を合成樹脂製にすれば、支持材７０が金属製の場合に外気で冷却されても、その支持材７０が室内側に露出することを樹脂製のカバー材９０で防ぐことができるので、結露発生を抑えることができ、断熱性能も向上できる。一方、カバー材９０を金属製にすれば、地板６０の室内側端縁６３の保持強度を向上できる。
【００３５】
なお、本発明は、前記実施形態に限定されるものではない。
例えば、前記実施形態の出窓１は、平面台形状であったが、本発明の出窓としては、図７に示すように、左右の袖窓部５と、正面窓部６とが直交配置された平面矩形状の角形出窓１Ａであってもよい。この出窓１Ａでは、平面形状が略矩形状の地板６０Ａが用いられる。
この出窓１Ａにおいても、地板６０Ａを室内側方向および出窓幅方向の移動つまり図７の矢印で示す斜め方向に移動すれば、地板６０Ａの正面窓側端縁６１と、袖窓側端縁６２の一方とを保持溝から外すことができ、けんどん方式で地板６０Ａを着脱することができる。
【００３６】
さらに、前記実施形態では、室内外方向と出窓幅方向の２方向に地板６０をスライド移動させて、地板６０を着脱していたが、図８に示すように、室内外方向の移動のみで地板６０を着脱してもよい。
すなわち、平面台形や三角形、多角形の出窓のように、袖窓部５の室内側端縁間寸法Ｗ１つまり出窓１の室内側開口幅寸法Ｗ１が、袖窓部５の室外側端縁間寸法Ｗ２つまり正面窓部６の幅寸法Ｗ２よりも大きくされていれば、地板６０を室内側に移動するだけで、地板６０の袖窓側端縁６２と保持溝との隙間は移動に伴い徐々に大きくなる。
従って、前記地板６０の袖窓側端縁６２の保持溝内への挿入寸法と、地板６０の移動寸法（隙間８０の寸法Ｌ１）とを適切に設定し、地板６０を室内側にスライド移動させるだけで、地板６０の各室外側端縁６１，６２を保持溝から外し、地板６０を着脱できるようにしてもよい。
この場合、前記実施形態と同じ作用効果が得られる上、地板６０の移動方向が１方向のみでよいため、着脱作業をより一層簡単に行うことができる。
【００３７】
さらに、前記実施形態では、隙間８０を形成し、地板６０をスライド移動させることで地板６０を着脱できるように構成していたが、図９に示すように、保持溝６５を、下片部６６Ａおよびこの下片部６６Ａに対して爪部の係合等によって着脱可能な上片部６７Ａで構成し、上片部６７Ａを取り外すことで、地板６０を水平方向にスライド移動させずに着脱できるようにしてもよい。
この際、各下枠１４，３２の各保持溝６５部分を、図９に示す上片部６７Ａを着脱する構造で構成してもよいし、袖下枠１４の保持溝６５のみあるいは正面下枠３２の保持溝６５のみを図９の構造としてもよい。なお、各下枠１４，３２の一方のみを上片部６７Ａ、下片部６６Ａで構成した場合、他方はスライド移動やけんどん方式等で保持溝から室外側端縁６１，６２を外せばよい。
【００３８】
さらに、出窓としては、平面台形や矩形状のものに、三角形状、五角形状、六角形状等の様々な平面形状の出窓でもよい。三角形状の出窓は、一対の袖窓部のみで構成されるものである。五角形状や六角形状の出窓は、袖窓部５間に複数（五角形状では２つ、６角形状では３つ）の互いに所定角度で傾斜配置された正面窓部６を備えたものである。
【００３９】
前記実施形態では、袖窓部５をＦＩＸ窓とし、正面窓部６を引違い窓としていたが、この窓構成は限定されず、袖窓部５を縦辷り出し窓等の開閉窓とし、正面窓部６をＦＩＸ窓等にしてもよく、これらは適宜設定すればよい。
さらに、正面窓部６には、障子３５および網戸を設けていたが、装飾格子、面格子などを組み込んでもよい。また、網戸は特に設けなくてもよい。
また、出窓本体２の構成、材料などは前記実施形態に限らない。例えば、各枠１３，１４，３１，３２は、アルミ押出形材で構成されたものに限らず、他の非鉄金属やステンレス等の金属材で構成されたものでもよいし、金属材だけでなく、合成樹脂や合成木材などのアルミ材に比べて熱伝導率の低い断熱材が枠の室外面および室内面の間に配置されて室外面から室内面への熱伝導が低減された断熱枠材等で構成されたものを利用してもよい。
【００４０】
【発明の効果】
以上に述べたように、本発明の出窓によれば、出窓ユニットを建物に取り付けた後でも地板の交換を容易に行えるとともに、施工手順の自由度を高めることができて作業性を向上することができるという効果がある。
【図面の簡単な説明】
【図１】本発明の一実施形態における出窓の縦断面図である。
【図２】本実施形態の出窓の横断面図である。
【図３】本実施形態の出窓の内観斜視図である。
【図４】本実施形態の出窓の袖下枠の拡大縦断面図である。
【図５】本実施形態の出窓の支持材部分を示す拡大縦断面図である。
【図６】本実施形態の出窓における地板のスライド移動前後の状態を示す模式図である。
【図７】本発明の変形例における地板のスライド移動前後の状態を示す模式図である。
【図８】本発明の他の変形例における地板のスライド移動前後の状態を示す模式図である。
【図９】本発明の他の変形例における出窓の袖下枠を示す拡大縦断面図である。
【符号の説明】
１，１Ａ…出窓、２…出窓本体、５…袖窓部、６…正面窓部、１１…縦枠、１２…縦枠である方立、１３…袖上枠、１４…袖下枠、３１…正面上枠、３２…正面下枠、５２…コーナーピース、５２Ａ…ストッパ、６０，６０Ａ…地板、６１…室外側端縁である正面窓側端縁、６２…室外側端縁である袖窓側端縁、６３…室内側端縁、６５…保持溝、６６…下片、６６Ａ…下片部、６７…上片、６７Ａ…上片部、６８…溝底面部、７０…支持材、７１…支持材本体、７２…載置部、７３…底板保持部、８０…隙間、９０…カバー材、９１…係合部、１００…建物、１０１…壁面開口、１０２…柱、１０４…窓台。
【図１】
0003988869.tif 000002
【図２】
0003988869.tif 000003
【図３】
0003988869.tif 000004
【図４】
0003988869.tif 000005
【図５】
0003988869.tif 000006
【図６】
0003988869.tif 000007
【図７】
0003988869.tif 000008
【図８】
0003988869.tif 000009
【図９】
0003988869.tif 000010